【事件の表示】
　特願２００６−２９８２８８号「請求項１記載の醤油一時溜まり部を設けた寿司用醤油入れ」拒絶査定不服審判事件〔平成２０年　４月１７日出願公開、特開２００８−　８６７３４号〕について、次のとおり審決する。
【結　論】
　本件審判の請求は、成り立たない。
【理　由】
 １．　手続の経緯 
 　本願は、平成１８年１０月４日の出願であって、平成１９年１０月１８日付けで拒絶査定がなされ、これに対し、平成１９年１１月３０日に拒絶査定不服審判の請求がなされるとともに、同日に手続補正がなされたものである。 
 　そして、当審において、平成２０年７月７日付けで拒絶理由を通知し、これに対して同年７月２０日に意見書が提出されたものである。 
 　　　　　　　 
 ２．　本願発明 
 　本願の請求項１〜３に係る発明は、平成１９年１１月３０日の手続補正書により補正された明細書の特許請求の範囲の請求項１〜３に記載された事項により特定されるところ、請求項１は以下のとおりのものである。 
 「【請求項１】
　タレ醤油を入れる醤油入れ本体と寿司にタレ醤油を塗るための刷毛が付いた醤油塗りつけ部と、タレ醤油の塗り量を制御するための醤油一時溜まり部からなるにぎり寿司用醤油入れ。」（以下、請求項１に係る発明を「本願発明」という。）  　　　 
　
 ３．　引用例の記載事項 
 （３−１）　引用例１ 
 　当審の拒絶の理由に引用した、実公昭３５−６７０号公報（以下「引用例１」という。）には、以下の事項が図面とともに記載されている。 
 　　 
（ア）「本実用新案はお好み焼、落し焼等の焼物菓子製造用鉄板や玉子焼、フライパン等の油引きに使用する塗油刷子に関するものである。
　図に於て１は油等を収納した容器、２はこの容器の口に嵌合させる保持子で外周に勾配を附け、この保持子の外周に環状をなす止め環３を嵌めこの止め環３を容器口縁にねじ結合して保持子２を容器１に固定する。又止め環３の内口縁にも保持子外周に適合する勾配を附けて止め環のねじ込みによって、保持子を確実に固定する。
　保持子２には第２図のように段８、溝７を刳設し、段８には止め板４を結合し、又溝７には制油板６を嵌合する。
　止め板４には細く裂いた布切れや毛類、ナイロン繊維等を通常手段により植付け時には植込みの間に適当の油孔を散設する。制油板６はポリエチレン、ナイロン、合成ゴム等の柔軟性物質で作り、之れを曲げながら溝７内に嵌めるもので、その適当カ所に大小の油孔Ｈを設け且随時取り換えうるよう着脱自在となすもので時には曲げられ易いよう切目Ｓを附することがある。
　本器による時は容器内に油を入れておけば必要に応じ之れを顛倒すれば制油板６の油孔Ｈより油が出て止め板４より油が浸出し塗油を行わせるものである。
　而して油の出る調子によつては随時油孔Ｈの大きさの違った制油板６を取換えて、油量の調整を行う。又切目Ｓのあるものではこの切目からも油が浸出することができる。」（第１頁左欄第６行〜右欄第１０行）
　 
（イ）「図面に示す如く油等を収納した容器１の口に保持子２を嵌め、その外側に嵌合した止め環３を容器１の口周にねじ結合して、保持子２を容器１に固定し、この保持子２の内周に段８、溝７を刳設し、段８には刷子を植えた止め板４を結合し溝７には大小の油孔Ｈを有する屈曲しうる軟質の制油板６を着脱自在に嵌めた刷子保持器の構造。」（登録請求の範囲）
　
（ウ）第１から３図には、容器１の口に保持子２を嵌め、その外側に嵌合した止め環３を容器１の口周にねじ結合して、保持子２を容器１に固定し、この保持子２の内周に段８を刳設し、段８には刷子を植えた止め板４を結合した油引き部、及び止め板４と制油板６の間に空間を備えている点が図示されている。
　
 これら記載事項及び図示内容を総合し、本願発明の記載ぶりに則って整理すると、引用例１には、次の発明（以下、「引用発明１」という）が記載されている。
「油を収納した容器１と、該容器１の口に保持子２を嵌め、その外側に嵌合した止め環３を容器１の口周にねじ結合して、保持子２を容器１に固定し、この保持子２の内周に段８を刳設し、段８にはフライパン等に油を引く為の刷子を植えた止め板４を結合した油引き部と、保持子２の内周に溝７を刳設し、油孔Ｈを有する制油板６を着脱自在に嵌めて、止め板４と制油板６の間に形成した空間からなる刷子保持器。」 
 　　　　 
 （３−２）　引用例２ 
 　同じく、当審の拒絶の理由に引用した、実願昭６１−８６６１５号（実開昭６２−１９９０３１号）のマイクロフィルム（以下、「引用例２」という。）には、以下の事項が図面とともに記載されている。 
 　　　　 
（ア）「断面が変形可能で且つ微細通路を集合した態様の醤油通路を形成した筒状本体の先端部に、前記通路に連通された刷毛状部を着脱可能にして形成すると共に、前記本体の後端部に、上記通路に連通される醤油溜を設けたことを特徴とするにぎりすし用の醤油塗布具。」（実用新案登録請求の範囲）
　
 　この記載事項及び第１〜３図の図示内容を総合し、本願発明の記載ぶりに則って整理すると、引用例２には、次の発明（以下、「引用発明２」という）が記載されている。
 「醤油通路を形成した筒状本体の先端部に、前記通路に連通された刷毛状部を形成すると共に、前記本体の後端部に、上記通路に連通される醤油溜を設けたにぎりすし用の醤油塗布具。」 
 　　　　　 
 ４．　対比 
　本願発明と引用発明１とを対比する。
　引用発明１の「油を収納した容器１」と、本願発明の「タレ醤油を入れる醤油入れ本体」は、その構造または機能からみて、「液体を入れる液体入れ本体」という点において共通する。
　また、引用発明１において、刷子を植えた止め板４を容器の口の外周に固定するための構造である「容器１の口に保持子２を嵌め、その外側に嵌合した止め環３を容器１の口周にねじ結合して、保持子２を容器１に固定し、この保持子２の内周に段８を刳設し、段８にはフライパン等に油を引く為の刷子を植えた止め板４を結合した油引き部」は、本願発明の「タレ醤油を塗るための刷毛が付いた醤油塗りつけ部」と、「液体を塗るための刷毛が付いた液体塗りつけ部」という点において共通する。
　そして、引用例１の（ア）の「油の出る調子によつては随時油孔Ｈの大きさの違った制油板６を取換えて、油量の調整を行う」という記載から、制油板６は、油が容器１から刷毛の方に移動する量を調節する為のものであり、構造上一時的に空間に油が溜まることから、引用発明１の「保持子２の内周に溝７を刳設し、油孔Ｈを有する制油板６を着脱自在に嵌めて、止め板４と制油板６の間に形成した空間」は、本願発明の「タレ醤油の塗り量を制御するための醤油一時溜まり部」と「液体の塗り量を制御するための液体一時溜まり部」という点において共通する。
　引用発明１の「刷子保持器」と本願発明の「にぎり寿司用醤油入れ」は「液体容器」である点で共通する。
 　そうすると、本願発明と引用例１に記載された発明とは、次の点で一致する。
（一致点） 
 「液体を入れる液体入れ本体と液体を塗るための刷毛が付いた液体塗りつけ部と、液体の塗り量を制御するための液体一時溜まり部からなる液体容器。」 
　
　そして、両者は次の点で相違する（対応する引用例１記載の用語を（　）内に示す）。
（相違点） 
　本願発明は、本体に入れる液体がタレ醤油であり、液体を塗る対象がにぎり寿司であるのに対し、引用発明１では、本体（容器１）に入れる液体が油であり、液体を塗る対象がフライパン等である点。
 　　　 
５．相違点の判断 
　上記相違点について検討する。 
　引用発明２の「醤油溜」は、本願発明の「タレ醤油を入れる醤油入れ本体」に相当し、以下同様に、「筒状本体」及び「刷毛状部」 は「寿司にタレ醤油を塗るための刷毛が付いた醤油塗りつけ部」に相当する。 
　したがって、引用発明２は、本願発明に倣って「タレ醤油を入れる醤油入れ本体と寿司にタレ醤油を塗るための刷毛が付いた醤油塗りつけ部とからなるにぎり寿司用醤油入れ」と言い換えることができる。 
　そして、引用発明１及び引用発明２は共に液体食品を塗布するための容器に関するものであり、両者は同一技術分野に属することから、引用発明１の油をフライパン等に塗ることに換えて引用発明２のようにタレ醤油をにぎり寿司に塗るようにして、上記相違点に係る本願発明の発明特定事項とすることは、当業者が容易に想到し得ることである。 
　　　　　 
　そして、本願発明の効果も引用発明１及び引用発明２から当業者が容易に予測し得たものであり、格別なものとはいえない。 
 　　　　　　 
 ６．　むすび 
　以上のとおりであるから、本願発明は、上記引用例１及び引用発明２に基いて当業者が容易に発明をすることができたものであり、特許法第２９条第２項の規定により特許を受けることができない。